(57)【要約】【課題】ペン入力機能及び指入力機能のうちのどちらを有効にするかを決定するペン、入力装置等を提供する。【解決手段】本発明の入力装置は、ペン３０と、利用者の指の位置情報を出力する指入力検出パネル及びペンの位置情報を出力するペン入力検出パネルを有する端末６０とから成る。ペン３０は、利用者の指紋パターン及びペンの握りパターンを検出する指紋及び握りパターン検出部９と、利用者の指紋パターンと利用者による握りパターンとを対応付けて予め記憶した指紋及び握りパターン記憶部８と、検出部９により検出されたデータと記憶部８に記憶されたデータとがそれぞれ一致するか否かを判定する指紋及び握り判定部６とを含み、端末６０は、判定部６から出力される握りパターン一致情報が、一致を示している場合は、ペン入力検出パネルの出力を選択し、不一致を示している場合は、指入力検出パネルの出力を選択するペン入力及び指入力判定部２４を含む。【選択図】      図４
2014174713.tif 000002
【特許請求の範囲】
【請求項１】
ペンと、利用者の指が接近したときに該指の位置を示す位置情報を出力する指入力検出パネルおよび前記ペンが接近したときに該ペンの位置を示す位置情報を出力するペン入力検出パネルを有する端末とから構成される入力装置において、
前記ペンは、
利用者の指紋パターンおよび該利用者による前記ペンの握り方である握りパターンをそれぞれ指紋パターンデータおよび握りパターンデータとして検出する指紋および握りパターン検出部と、
利用者の指紋パターンのデータである指紋パターンデータと該利用者による前記ペンの握り方のパターンのデータである握りパターンデータとを対応付けて予め記憶した指紋および握りパターン記憶部と、
指紋および握りパターン検出部により検出された前記指紋パターンデータおよび前記握りパターンデータと前記指紋および握りパターン記憶部に記憶された前記指紋パターンデータおよび対応する前記握りパターンデータとがそれぞれ一致するか否かを判定し、前記指紋および握りパターン検出部により検出された前記指紋パターンデータと前記指紋および握りパターン記憶部に記憶された前記指紋パターンデータとが一致すると判定された場合には、一致した当該指紋パターンデータと対応付けて前記指紋および握りパターン記憶部に記憶された前記握りパターンデータと、前記指紋および握りパターン検出部により検出された前記握りパターンデータとが一致するか否かを示す握りパターン一致情報を出力する指紋および握り判定部と
を含み、
前記端末は、
前記指紋および握り判定部から出力される前記握りパターン一致情報が、前記握りパターンデータの一致を示している場合には、前記ペン入力検出パネルの出力を選択し、一方、前記指紋および握り判定部から出力される前記握りパターン一致情報が、前記握りパターンデータの不一致を示している場合には、前記指入力検出パネルの出力を選択するペン入力および指入力判定部
を含む
ことを特徴とする入力装置。
【請求項２】
ペンと、利用者の指が接近したときに該指の位置を示す位置情報を出力する指入力検出パネルおよび前記ペンが接近したときに該ペンの位置を示す位置情報を出力するペン入力検出パネルを有する端末とから構成される入力装置において、
前記ペンは、
利用者の指紋パターンおよび該利用者による前記ペンの握り方である握りパターンをそれぞれ指紋パターンデータおよび握りパターンデータとして検出する指紋および握りパターン検出部
を含み、
前記端末は、
利用者の指紋パターンのデータである指紋パターンデータと該利用者によるペンの握り方のパターンのデータである握りパターンデータとを対応付けて予め記憶した指紋および握りパターン記憶部と、
指紋および握りパターン検出部により検出された前記指紋パターンデータおよび前記握りパターンデータと前記指紋および握りパターン記憶部に記憶された前記指紋パターンデータおよび対応する前記握りパターンデータとがそれぞれ一致するか否かを判定し、前記指紋および握りパターン検出部により検出された前記指紋パターンデータと前記指紋および握りパターン記憶部に記憶された前記指紋パターンデータとが一致すると判定された場合には、一致した当該指紋パターンデータと対応付けて前記指紋および握りパターン記憶部に記憶された前記握りパターンデータと、前記指紋および握りパターン検出部により検出された前記握りパターンデータとが一致するか否かを示す握りパターン一致情報を出力する指紋および握り判定部と、
前記指紋および握り判定部から出力される前記握りパターン一致情報が、前記握りパターンデータの一致を示している場合には、前記ペン入力検出パネルの出力を選択し、一方、前記指紋および握り判定部から出力される前記握りパターン一致情報が、前記握りパターンデータの不一致を示している場合には、前記指入力検出パネルの出力を選択するペン入力および指入力判定部と
を含む
ことを特徴とする入力装置。
【請求項３】
前記指紋および握りパターン記憶部への前記指紋パターンデータおよび前記握りパターンデータの登録は、前記指紋および握りパターン検出部に特定の触れ方をした者のみに許可される
ことを特徴とする請求項１または２に記載の入力装置。
【請求項４】
前記指紋およびペンの握りパターン検出部は、感圧センサ、画像センサまたは静電容量センサから構成される
ことを特徴とする請求項１乃至請求項３のいずれかに記載の入力装置。
【請求項５】
利用者の指紋パターンおよび該利用者によるペン本体の握り方である握りパターンをそれぞれ指紋パターンデータおよび握りパターンデータとして検出する指紋および握りパターン検出部と、
利用者の指紋パターンのデータである指紋パターンデータと該利用者による前記ペン本体の握り方のパターンのデータである握りパターンデータとを対応付けて予め記憶した指紋および握りパターン記憶部と、
指紋および握りパターン検出部により検出された前記指紋パターンデータおよび前記握りパターンデータと前記指紋および握りパターン記憶部に記憶された前記指紋パターンデータおよび対応する前記握りパターンデータとがそれぞれ一致するか否かを判定し、前記指紋および握りパターン検出部により検出された前記指紋パターンデータと前記指紋および握りパターン記憶部に記憶された前記指紋パターンデータとが一致すると判定された場合には、一致した当該指紋パターンデータと対応付けて前記指紋および握りパターン記憶部に記憶された前記握りパターンデータと、前記指紋および握りパターン検出部により検出された前記握りパターンデータとが一致するか否かを示す握りパターン一致情報を出力する指紋および握り判定部と、
前記指紋および握り判定部から出力される前記握りパターン一致情報が、前記握りパターンデータの一致を示している場合には、端末にペン自身による情報入力を選択させ、一方、前記指紋および握り判定部から出力される前記握りパターン一致情報が、前記握りパターンデータの不一致を示している場合には、前記端末に指による情報入力を選択させる入力方法選択情報を前記端末に送信する入力方法送信部と
から構成されたことを特徴とするペン。
【請求項６】
利用者の指が接近したときに該指の位置を示す位置情報を出力する指入力検出パネルおよび前記ペンが接近したときに該ペンの位置を示す位置情報を出力するペン入力検出パネルを有する端末にペンまたは指で情報を入力する入力方法において、
利用者の指紋パターンのデータである指紋パターンデータと該利用者による前記ペンの握り方のパターンのデータである握りパターンデータとを対応付けて指紋および握りパターン記憶部に予め記憶する指紋および握りパターン記憶ステップと、
利用者の指紋パターンおよび該利用者による前記ペンの握り方である握りパターンをそれぞれ指紋パターンデータおよび握りパターンデータとして検出する指紋および握りパターン検出ステップと、
指紋および握りパターン検出部により検出された前記指紋パターンデータおよび前記握りパターンデータと前記指紋および握りパターン記憶部に記憶された前記指紋パターンデータおよび対応する前記握りパターンデータとがそれぞれ一致するか否かを判定し、前記指紋および握りパターン検出部により検出された前記指紋パターンデータと前記指紋および握りパターン記憶部に記憶された前記指紋パターンデータとが一致すると判定された場合には、一致した当該指紋パターンデータと対応付けて前記指紋および握りパターン記憶部に記憶された前記握りパターンデータと、前記指紋および握りパターン検出部により検出された前記握りパターンデータとが一致するか否かを示す握りパターン一致情報を出力する指紋および握り判定ステップと、
前記指紋および握り判定部から出力される前記握りパターン一致情報が、前記握りパターンデータの一致を示している場合には、前記ペン入力検出パネルの出力を選択し、一方、前記指紋および握り判定部から出力される前記握りパターン一致情報が、前記握りパターンデータの不一致を示している場合には、前記指入力検出パネルの出力を選択するペン入力および指入力判定ステップと
を含むことを特徴とする入力方法。
【発明の詳細な説明】
【技術分野】
【０００１】
本発明は、ペン、入力装置および入力方法に関する。
【背景技術】
【０００２】
今日、情報端末等の電子機器は、専用のペンや指等により情報や指示を入力できる入力手段と、許可された者のみが該電子機器を使用できるようにする指紋認証機能等の生体認証機能を有する生体認証手段とを備えるものが増えている。
【０００３】
特許文献１には、タッチパネル等の入力装置に付属するスタイラスペンが備える指紋センサにより、利用者の指紋パターンと予め登録された指紋パターンとの指紋照合を行い、両パターンが一致し、当該利用者が該入力装置の利用を許可された利用者であると認証されれば、当該利用者によるスタイラスペンを用いた手書き入力を許可する技術が開示されている。
【０００４】
また、特許文献２には、表面に非接触センサを備えた携帯情報端末を利用者が握ろうとして該端末の表面に手や指を接近させた際の、該端末表面の静電容量分布である握り方情報を予め登録しておき、実際に利用者が携帯情報端末を握った際の握り方情報が、登録された握り方情報と一致する場合に、当該利用者に該端末の使用を許可する認証技術が開示されている。
【０００５】
また、特許文献３には、入力ペンの軸と直交する複数に分割された線状電極に触れた指による線状電極間の電気抵抗の分布に基づく利用者の指の情報である指情報と、予め登録済みの指情報とを比較することにより正当な利用者を認証する技術が開示されている。
【先行技術文献】
【特許文献】
【０００６】
【特許文献１】特開２００５−１８４２６号公報
【特許文献２】特開２００４−２５９１０７号公報
【特許文献３】特開平１０−２５４６１５号公報
【発明の概要】
【発明が解決しようとする課題】
【０００７】
しかしながら、特許文献１乃至３には、ペン入力機能及び指入力機能の両方を備え、且つ、複数種類の認証機能を利用してそれらの入力機能のうちのどちらを有効にするかを決定する技術については何ら開示されていない。
【０００８】
本発明の目的は、複数種類の認証機能を利用してペン入力機能及び指入力機能のうちのどちらを有効にするかを決定することが可能なペン、入力装置および入力方法を提供することにある。
【課題を解決するための手段】
【０００９】
本発明の入力装置は、
ペンと、利用者の指が接近したときに該指の位置を示す位置情報を出力する指入力検出パネルおよび前記ペンが接近したときに該ペンの位置を示す位置情報を出力するペン入力検出パネルを有する端末とから構成される入力装置であって、
前記ペンは、
利用者の指紋パターンおよび該利用者による前記ペンの握り方である握りパターンをそれぞれ指紋パターンデータおよび握りパターンデータとして検出する指紋および握りパターン検出部と、
利用者の指紋パターンのデータである指紋パターンデータと該利用者による前記ペンの握り方のパターンのデータである握りパターンデータとを対応付けて予め記憶した指紋および握りパターン記憶部と、
指紋および握りパターン検出部により検出された前記指紋パターンデータおよび前記握りパターンデータと前記指紋および握りパターン記憶部に記憶された前記指紋パターンデータおよび対応する前記握りパターンデータとがそれぞれ一致するか否かを判定し、前記指紋および握りパターン検出部により検出された前記指紋パターンデータと前記指紋および握りパターン記憶部に記憶された前記指紋パターンデータとが一致すると判定された場合には、一致した当該指紋パターンデータと対応付けて前記指紋および握りパターン記憶部に記憶された前記握りパターンデータと、前記指紋および握りパターン検出部により検出された前記握りパターンデータとが一致するか否かを示す握りパターン一致情報を出力する指紋および握り判定部と
を含み、
前記端末は、
利用者の指が接近したときに該指の位置を示す位置情報を出力する指入力検出パネルと、
前記ペンが接近したときに該ペンの位置を示す位置情報を出力するペン入力検出パネルと、
前記指紋および握り判定部から出力される前記握りパターン一致情報が、前記握りパターンデータの一致を示している場合には、前記ペン入力検出パネルの出力を選択し、一方、前記指紋および握り判定部から出力される前記握りパターン一致情報が、前記握りパターンデータの不一致を示している場合には、前記指入力検出パネルの出力を選択するペン入力および指入力判定部と
を含む。
【００１０】
また、本発明の他の入力装置は、
ペンと、利用者の指が接近したときに該指の位置を示す位置情報を出力する指入力検出パネルおよび前記ペンが接近したときに該ペンの位置を示す位置情報を出力するペン入力検出パネルを有する端末とから構成される入力装置であって、
前記ペンは、
利用者の指紋パターンおよび該利用者による前記ペンの握り方である握りパターンをそれぞれ指紋パターンデータおよび握りパターンデータとして検出する指紋および握りパターン検出部
を含み、
前記端末は、
利用者の指紋パターンのデータである指紋パターンデータと該利用者による前記ペンの握り方のパターンのデータである握りパターンデータとを対応付けて予め記憶した指紋および握りパターン記憶部と、
指紋および握りパターン検出部により検出された前記指紋パターンデータおよび前記握りパターンデータと前記指紋および握りパターン記憶部に記憶された前記指紋パターンデータおよび対応する前記握りパターンデータとがそれぞれ一致するか否かを判定し、前記指紋および握りパターン検出部により検出された前記指紋パターンデータと前記指紋および握りパターン記憶部に記憶された前記指紋パターンデータとが一致すると判定された場合には、一致した当該指紋パターンデータと対応付けて前記指紋および握りパターン記憶部に記憶された前記握りパターンデータと、前記指紋および握りパターン検出部により検出された前記握りパターンデータとが一致するか否かを示す握りパターン一致情報を出力する指紋および握り判定部と、
前記指紋および握り判定部から出力される前記握りパターン一致情報が、前記握りパターンデータの一致を示している場合には、前記ペン入力検出パネルの出力を選択し、一方、前記指紋および握り判定部から出力される前記握りパターン一致情報が、前記握りパターンデータの不一致を示している場合には、前記指入力検出パネルの出力を選択するペン入力および指入力判定部とを含む。
【００１１】
さらに、本発明のペンは、
利用者の指紋パターンおよび該利用者によるペン本体の握り方である握りパターンをそれぞれ指紋パターンデータおよび握りパターンデータとして検出する指紋および握りパターン検出部と、
利用者の指紋パターンのデータである指紋パターンデータと該利用者による前記ペン本体の握り方のパターンのデータである握りパターンデータとを対応付けて予め記憶した指紋および握りパターン記憶部と、
指紋および握りパターン検出部により検出された前記指紋パターンデータおよび前記握りパターンデータと前記指紋および握りパターン記憶部に記憶された前記指紋パターンデータおよび対応する前記握りパターンデータとがそれぞれ一致するか否かを判定し、前記指紋および握りパターン検出部により検出された前記指紋パターンデータと前記指紋および握りパターン記憶部に記憶された前記指紋パターンデータとが一致すると判定された場合には、一致した当該指紋パターンデータと対応付けて前記指紋および握りパターン記憶部に記憶された前記握りパターンデータと、前記指紋および握りパターン検出部により検出された前記握りパターンデータとが一致するか否かを示す握りパターン一致情報を出力する指紋および握り判定部と、
前記指紋および握り判定部から出力される前記握りパターン一致情報が、前記握りパターンデータの一致を示している場合には、端末にペン自身による情報入力を選択させ、一方、前記指紋および握り判定部から出力される前記握りパターン一致情報が、前記握りパターンデータの不一致を示している場合には、前記端末に指による情報入力を選択させる入力方法選択情報を前記端末に送信する入力方法送信部と
から構成される。
【００１２】
また、本発明の入力方法は、
利用者の指が接近したときに該指の位置を示す位置情報を出力する指入力検出パネルおよび前記ペンが接近したときに該ペンの位置を示す位置情報を出力するペン入力検出パネルを有する端末にペンまたは指で情報を入力する方法であって、
利用者の指紋パターンのデータである指紋パターンデータと該利用者による前記ペンの握り方のパターンのデータである握りパターンデータとを対応付けて指紋および握りパターン記憶部に予め記憶する指紋および握りパターン記憶ステップと、
利用者の指紋パターンおよび該利用者による前記ペンの握り方である握りパターンをそれぞれ指紋パターンデータおよび握りパターンデータとして検出する指紋および握りパターン検出ステップと、
指紋および握りパターン検出部により検出された前記指紋パターンデータおよび前記握りパターンデータと前記指紋および握りパターン記憶部に記憶された前記指紋パターンデータおよび対応する前記握りパターンデータとがそれぞれ一致するか否かを判定し、前記指紋および握りパターン検出部により検出された前記指紋パターンデータと前記指紋および握りパターン記憶部に記憶された前記指紋パターンデータとが一致すると判定された場合には、一致した当該指紋パターンデータと対応付けて前記指紋および握りパターン記憶部に記憶された前記握りパターンデータと、前記指紋および握りパターン検出部により検出された前記握りパターンデータとが一致するか否かを示す握りパターン一致情報を出力する指紋および握り判定ステップと、
前記指紋および握り判定部から出力される前記握りパターン一致情報が、前記握りパターンデータの一致を示している場合には、前記ペン入力検出パネルの出力を選択し、一方、前記指紋および握り判定部から出力される前記握りパターン一致情報が、前記握りパターンデータの不一致を示している場合には、前記指入力検出パネルの出力を選択するペン入力および指入力判定ステップと
を含む。
【発明の効果】
【００１３】
本発明には、利用者がペン入力と指入力とを簡単に選択することができるという効果がある。
【図面の簡単な説明】
【００１４】
【図１】本発明の実施形態に係る電磁誘導式ペン３０の構成を表す図である。
【図２】本発明の実施形態における端末６０の構成を表す図である。
【図３】本発明の実施形態に係るペン３０において、利用者の指紋および握りパターンを判定し、指紋パターン一致および握りパターン一致情報を送信する処理の流れを表すフローチャートである。
【図４】本発明の実施形態における端末６０において、受信した指紋パターン一致および握りパターン一致情報に基づいて入力手段を切替える処理の流れを表すフローチャートである。
【発明を実施するための形態】
【００１５】
次に、本発明の実施形態について図面を参照して詳細に説明する。
【００１６】
＜実施形態＞
図１は、本発明の実施形態に係る電磁誘導式ペン３０（以下、単に、「ペン３０」とも言う。）の構成を表す図である。また、図２は、本発明の実施形態における端末６０の構成を表す図である。
【００１７】
本実施形態は、ペン３０と、端末６０とから構成される。
【００１８】
まず、図１を参照してペン３０の構成を説明する。
【００１９】
ペン３０は、利用者の指紋パターンを検出する機能と利用者のペン３０の握り方のパターン（以下、「握りパターン」と言う。）を検出する機能とを有する指紋および握りパターン検出部９と、指紋および握りパターン記憶部８と、指紋および握り判定部６と、パターン記憶開始ボタン３と、パターン記憶開始ランプ４と、セキュリティパターン記憶部７と、セキュリティパターン判定部５と、ペン３０のペン先が位置する座標情報を端末６０へ入力するための共振回路部１０と、無線送信部１と、ペン側アンテナ部２と、ペン３０内の各種回路に電力を供給するための電池５０とから構成される。
【００２０】
検出部９は、ペン３０を利用者が手で握った際に、利用者の指紋パターンおよび握りパターンを検出可能な感圧フィルムから成り、該感圧フィルムはペン３０の表面部に貼り付けられている。
【００２１】
検出部９は、上述した感圧フィルムに限定されず、指紋および握りパターンを検出できれば画像センサや静電容量センサ等でもよい。
【００２２】
次に、図２を参照して端末６０の構成を説明する。
【００２３】
端末６０は、握りパターン一致情報記憶部２３と、ペン入力および指入力判定部２４と、指先の位置を静電容量により検出する静電容量検出部１１及びタッチパネル座標検出部１２を含む周知の静電容量式タッチパネル１３と、ペン３０のペン先の位置を電磁誘導により検出する電磁誘導式ペン３０のペン先を検出可能なアンテナコイル群を有する周知の電磁誘導式ペン検出パネル１５と、アンテナコイル切替信号１６と、交流ドライバ回路部１７と、受信回路部１８と、ペン入力座標検出部１９と、ペン側アンテナ部２から送信される情報を受信する端末側アンテナ部２１と、無線受信部２０と、画像を表示する液晶表示パネル１４とから構成される。
【００２４】
静電容量式タッチパネル１３の下には、液晶表示パネル１４が設けられ、パネル１４の下には、電磁誘導式ペン検出パネル１５が設けられている。
【００２５】
尚、本実施形態に用いる静電容量式タッチパネル１３は、一例であり、他の指入力方式のタッチパネルでもよく、これらのタッチパネルを総称して指入力検出パネルとも言う。
【００２６】
また、本実施形態に用いる電磁誘導式ペン検出パネル１５は、一例であり、他のペン入力方式のパネルでもよく、これらのペン入力方式のパネルを総称してペン入力検出パネルとも言う。
【００２７】
次に、図３及び図４を用いて本実施形態の動作を説明する。
【００２８】
図３は、本実施形態に係るペン３０における処理の流れを示すフローチャートである。
【００２９】
また、図４は、本実施形態に係る端末６０における処理の流れを示すフローチャートである。
【００３０】
図３を参照すると、まず、ペン３０のパターン記憶開始ボタン３が利用者により押下されたか否かが確認される（ステップＳ２６）。
【００３１】
利用者によってパターン記憶開始ボタン３が押下されると（ステップＳ２６にてＹＥＳと判定）、パターン記憶開始ランプ４が点滅する。
【００３２】
次に利用者は、パターン記憶開始ランプ４が点滅中に、予め決めた特定の触れ方で検出部９に触れ、その触れ方をセキュリティパターンデータとして検出部９から取り込む（ステップＳ３７）。
【００３３】
ここで、特定の触れ方（セキュリティパターン）としては、利用者がペン３０の側面を指で５回だけ軽くたたいたり、ペンの側面を上下方向に指で２往復なでたりする等がある。そして、この特定の触れ方はセキュリティパターンデータとしてキュリティパターン記憶部７に予め登録されている。
【００３４】
次に、ペン３０は、指紋および握りパターン検出部９から取り込まれたセキュリティパターンデータと、セキュリティパターン記憶部７に記憶されているセキュリティパターンデータとをセキュリティパターン判定部５において比較する（ステップＳ３８）。
【００３５】
ステップＳ３８において、指紋および握りパターン検出部９からのセキュリティパターンデータと、セキュリティパターン記憶部７に記憶されているセキュリティパターンデータとが一致した場合（ステップＳ３８にてＹＥＳと判定）、パターン記憶開始ランプ４が緑色に点灯する（ステップＳ４０）。
【００３６】
これにより利用者は、セキュリティパターンの入力が成功したことを知る。
【００３７】
続いて、利用者は、ペン３０における指紋および握りパターン検出部９を自然な握り方で握る。その結果、指紋および握りパターン検出部９は、利用者の指紋パターンおよび握りパターンを読取り、読み取った指紋パターンおよび握りパターンをそれぞれ指紋パターンデータおよび握りパターンデータとして指紋および握りパターン記憶部８に記憶する（ステップＳ４１）。
【００３８】
その後、パターン記憶開始ランプ４は消灯する（ステップＳ４５）。
【００３９】
一方、ステップＳ３８において、指紋および握りパターン検出部９からのセキュリティパターンデータと、セキュリティパターン記憶部７に記憶されたセキュリティパターンデータとが一致しない場合（ステップＳ３８にてＮＯと判定）には、パターン記憶開始ランプ４が所定の期間、赤色に点灯する（ステップＳ４３）。
【００４０】
該所定の期間経過後、パターン記憶開始ランプ４は消灯する（ステップＳ４５）。
【００４１】
これにより利用者は、セキュリティパターンの入力に失敗したことを知る。
【００４２】
以上の説明から分かるように、ペン３０に指で上記特定の触れ方をした利用者のみが自身の指紋パターンおよび握り方パターンをそれぞれ指紋パターンデータおよび握り方パターンデータとして記憶部８に登録することができ、上記特定の触れ方を知らない者は自身の指紋パターンおよび握り方パターンのデータを記憶部８に登録することができない。
【００４３】
なお、指紋パターンデータおよび握り方パターンデータの記憶部８への登録を許可する方法は、上述したようなペン３０に特定の触れ方をするという方法には限定されず、これ以外にも種々の方法が考えられる。
【００４４】
次に、利用者によってパターン記憶開始ボタン３が押されていない場合（ステップＳ２６にてＮＯと判定）には、利用者は、端末６０へ入力するための許可を得るために、一旦、ペン３０を握る。そして利用者により握られるペン３０から入力される指紋が、指紋および握りパターン記憶部８に記憶された指紋と一致するか否かが確認される（ステップＳ２８）。
【００４５】
ステップＳ２８にて、利用者により入力される指紋と、指紋および握りパターン記憶部８に記憶された指紋とが一致しない場合（ステップＳ２８にてＮＯと判定）には、ステップＳ２６に戻り、パターン記憶開始ボタン３の押下が再度確認される。
【００４６】
一方、ステップＳ２８にて、利用者により入力される指紋と、指紋および握りパターン記憶部８に記憶された指紋とが一致する場合（ステップＳ２８にてＹＥＳと判定）には、ペン３０の指紋および握りパターン検出部９に触れている利用者の握りパターンが指紋および握りパターン検出部９から握りパターンデータとして出力される（ステップＳ３１）。
【００４７】
次に、検出部９から出力された握りパターンデータと、指紋および握りパターン記憶部８に記憶された握りパターンデータとが、指紋および握り判定部６において比較され、握りパターンが一致したか否かを示す握りパターン一致情報が判定部６から出力される（ステップＳ３２）。
【００４８】
判定部６から出力された握りパターン一致情報は無線送信部１へ入力され、ペン側アンテナ部２より、端末６０へ送信される（ステップＳ３３）。
【００４９】
尚、ステップＳ３２及びステップＳ３３において、握りパターンデータを、指紋および握り判定部６において比較し、その比較結果である握りパターン一致情報を、無線送信部１へ入力し、該情報を電波として送信するペン側アンテナ部２を総称して入力方法送信部とも言う。
【００５０】
また、ペン３０は、ペン３０が使用されない場合は、図示していない例えば電源スイッチを用いて利用者により電源を切ることができるようにしてもよい。
【００５１】
次に、図４を参照して端末６０での処理について説明する。
【００５２】
端末６０は、端末側アンテナ部２１および無線受信部２０を介して、一定時間間隔毎にペン３０から受信する握りパターン一致情報を握りパターン一致情報記憶部２３に記憶する（ステップＳ４６）。
【００５３】
ステップＳ４６において受信した握りパターン一致情報が、握りパターンデータが一致したことを示しているか否かを判定し（ステップＳ５２）、一致したことを示している場合（ステップＳ５２にてＹＥＳと判定）には、端末６０に対して、ペン３０による入力を許可するとともに、指による入力は禁止する（ステップＳ５４）。
【００５４】
具体的には、利用者の指が静電容量式タッチパネル１３に触れて、その指が触れた位置がタッチパネル座標検出部１２で検出され、その触れた位置の座標データが検出部１２からペン入力および指入力判定部２４に送られて来たとしても、判定部２４はその座標データを無視し、ペン入力座標検出部１９により検出されたペン３０の位置を示す座標データのみが判定部２４に取り込まれる。
【００５５】
一方、ステップＳ５２において、握りパターン一致情報が、握りパターンデータが一致しなかったことを示している場合（ステップＳ５２にてＮＯと判定）には、端末６０に対する指による入力を許可するとともに、ペン３０による入力を禁止する（ステップＳ５６）。
【００５６】
具体的には、利用者の指が静電容量式タッチパネル１３に触れて、その指が触れた位置がタッチパネル座標検出部１２で検出され、その触れた位置の座標データのみが検出部１２からペン入力および指入力判定部２４に取り込まれ、一方、判定部２４はペン入力座標検出部１９からの出力は無視する。
【００５７】
こうして、端末６０は、ペン３０側から受信した握りパターン一致情報に基づいて、ペン入力と指入力とを排他的に切替えることができる。
【００５８】
尚、ペン３０側における指紋および握りパターン検出部９の出力データである、指紋パターンデータ及び握りパターンデータを端末６０に送って、端末６０側に設けた指紋および握りパターン記憶部８において対応付けて記憶された指紋パターンデータ及び握りパターンデータを、端末６０側に設けた指紋および握り判定部６においてそれぞれ比較し、一致するか否かの判定を行うようにしてもよい。
【００５９】
また、握りパターン一致情報は、該握りパターン一致情報により、入力手段を選択するために使っているので、入力方法選択情報とも言う。
【００６０】
以上、本発明には、利用者がペン入力と指入力とを簡単に選択することができるという効果がある。
【００６１】
その理由は、端末６０は、利用者がペン３０を握っていればペン入力、利用者がペン３０を机に置くなどして握っていないか、または、通常の（登録された）握り方と異なる握り方していれば、指入力というように、端末６０側でペン入力と指入力とを排他的に切替えるためである。
【符号の説明】
【００６２】
１    無線送信部
２    ペン側アンテナ部
３    パターン記憶開始ボタン
４    パターン記憶開始ランプ
５    セキュリティパターン判定部
６    指紋および握り判定部
７    セキュリティパターン記憶部
８    指紋および握りパターン記憶部
９    指紋および握りパターン検出部
１０    共振回路部
１１    静電容量検出部
１２    タッチパネル座標検出部
１３    静電容量式タッチパネル
１４    液晶表示パネル
１５    電磁誘導式ペン検出パネル
１６    アンテナコイル切替信号
１７    交流ドライバ回路部
１８    受信回路部
１９    ペン入力座標検出部
２０    無線受信部
２１    端末側アンテナ部
２３    握りパターン一致情報記憶部
２４    ペン入力および指入力判定部
３０    電磁誘導式ペン
５０    電池
６０    端末
【図１】
2014174713.tif 000003
【図２】
2014174713.tif 000004
【図３】
2014174713.tif 000005
【図４】
2014174713.tif 000006